(57)【要約】【課題】受験者および試験実施者において多く作業を行なうことなく、迅速且つ確実に受験手続を行なえる受験手続管理システムを得る。【解決手段】本発明の受験手続管理システムでは、受験申込み端末１２から少なくとも受験者を特定する情報と希望受験日を特定する情報と希望受験地を特定する情報とを含む受験申込みデータを受験手続き管理サーバ３４に送信する。受験申込みデータに対応した受験料の支払い処理が完了したときに、支払い処理が行なわれた受験申込みデータの受験者を特定する情報を記載した受験票を出力する出力手段とを含む。【選択図】図１
2006085730.tif 000002
【特許請求の範囲】
【請求項１】
受験申込み作業を行なう受験申込み端末と受験手続き処理を行なう受験手続管理サーバとによりネットワークを介して受験手続管理システムであって、
前記受験申込み端末から、希望受験日の範囲、希望受験地および希望受験級を受信する受信手段と、
前記受験手続管理サーバは、
前記希望受験日の範囲、前記希望受験地および前記希望受験級を記憶する記憶手段と、
前記記憶した希望受験日の範囲、前記記憶した希望受験地および前記記憶した希望受験級と実施予定の試験日、試験の行なわれる受験地、受験地毎の最大受験者数および試験日に行なわれる受験級とを比較することにより受験者が受験可能な日、受験可能な受験地および受験可能な受験級を抽出し、その結果を受験申込み端末に送信する抽出手段と、
前記受験申込み端末から、受験者を特定する情報及び希望受験日を特定する情報と希望受験地を特定する情報と希望受験級と受験料の支払い方法を特定する情報とを含む受験申込みデータを前記受験手続き管理サーバにおいて受信する受信手段と、
受験者を特定する情報及び希望受験日を特定する情報と希望受験地を特定する情報と希望受験級と受験料の支払い方法を特定する情報と受験料の支払いのない状況を示す情報とを記憶する記憶手段と、
受験料の支払い情報を前記受験手続管理サーバにおいて受信する受信手段と、
前記受験料の支払いのない状況を示す情報を、受信した受験料の支払い済み情報に書き換える書換手段と、
前記受信した受験料の支払い済み情報と前記記憶した受験申込みデータとを対応させる対応手段と、
前記受験申込みデータに対応した受験料の支払い処理が完了したことを確認したときに、前記支払い処理が行なわれた受験申込みデータの受験者を特定する情報を記載した受験票を出力する出力手段とを含むことを特徴とする、受験手続管理システム。
【請求項２】
前記受験申込みデータに対応した受験料の支払い処理が完了したときに、前記支払い処理が行なわれた前記受験申込みデータの受験者を特定する情報を記載した受験票を出力する出力手段は、
前記受験者を特定する情報が表示されるように構成された受験票の印刷データを前記受験申込み端末に送信する機能と、
前記受験申込み端末で前記印刷データに基づいて受験票を印刷する機能とを含む、請求項１に記載の受験手続管理システム。
【請求項３】
受験申込み作業を行なう受験申込み端末と受験手続き処理を行なう受験手続管理サーバと受験料の支払い処理を行なう決済端末とによりネットワークを介して受験手続管理システムであって、
前記受験手続管理サーバは、
前記受験申込み端末から、希望受験日の範囲、希望受験地および希望受験級を受信する受信手段と、
前記希望受験日の範囲、前記希望受験地および前記希望受験級を記憶する記憶手段と、
前記記憶した希望受験日の範囲、前記記憶した希望受験地および前記記憶した希望受験級と実施予定の試験日、試験の行なわれる受験地、受験地毎の最大受験者数および試験日に行なわれる受験級とを比較することにより受験者が受験可能な日、受験可能な受験地および受験可能な受験級を抽出し、その結果を受験申込み端末に送信する抽出手段と、
前記受験申込み端末から、受験者を特定する情報及び希望受験日を特定する情報と希望受験地を特定する情報と希望受験級とを含む受験申込みデータを受信する受信手段と、
前記受験申込みデータに重複しない個別の認識情報を付与する認識情報付与手段と、
前記認識情報を付与された受験申込みデータを記録する記録手段と、
前記認識情報を前記受験申込み端末に通知する通知手段と、
受験者を特定する情報及び希望受験日を特定する情報と希望受験地を特定する情報と希望受験級と受験料の支払い方法を特定する情報と受験料の支払いのない状況を示す情報とを記憶する記憶手段と、
前記認識情報を入力するとともに受験料の支払処理が行なわれた前記決済端末から、前記認識情報と受験料の支払いが行なわれたことを示すデータとを含む支払いデータを前記受験手続き管理サーバにおいて受信する受信手段と、
前記受験料の支払いのない状況を示す情報を、受信した受験料の支払い済み情報に書き換える書換手段と、
前記受信した受験料の支払い済み情報と前記記憶した前記認識情報を付与された受験申込みデータとを対応させる対応手段と、
前記決済端末から受信した支払いデータに対応した受験申込みデータに含まれる受験者を特定する情報を記載した受験票を出力する出力手段とを含むことを特徴とする、受験手続管理システム。
【請求項４】
前記認識情報を前記受験申込み端末に通知する通知手段は、前記認識情報を記載した受験料支払用紙を印刷する機能を含む、請求項３に記載の受験手続管理システム。
【請求項５】
前記受験申込みデータは、受験料支払用紙を送付する先を特定する情報を含み、
前記認識情報を前記受験申込み端末に通知する通知手段は、
前記受験料支払用紙を前記受験申込み端末に送付する機能を含む、請求項３または請求項４のいずれかに記載の受験手続管理システム。
【請求項６】
前記決済端末から受信した支払いデータに対応した受験申込みデータに含まれる受験者を特定する情報を記載した受験票を出力する出力手段は、
前記受験者を特定する情報が表示されるように構成された受験票の印刷データを前記受験申込み端末に送信する機能と、
前記受験申込み端末で前記印刷データに基づいて受験票を印刷する機能とを含む、請求項３ないし請求項５のいずれかに記載の受験手続管理システム。
【請求項７】
前記受験申込みデータは、受験票の送付先を特定する情報を含み、
前記決済端末から受信した支払いデータに対応した受験申込みデータに含まれる受験者を特定する情報を記載した受験票を出力する出力手段は、
前記受験者を特定する情報が表示されるように構成された受験票の帳票形式により受験票を印刷する機能含む、請求項３ないし請求項６のいずれかに記載の受験手続管理システム。
【発明の詳細な説明】
【技術分野】
【０００１】
この発明は、受験手続管理システムに関し、特にたとえばオンライン処理により受験手続を迅速に行うことができる受験手続管理システムに関する。
【背景技術】
【０００２】
従来、検定試験，資格試験や模擬試験等の各種試験の受験手続を行うには、まず最初に受験者が試験実施者の発行している願書，受験申込書等の申込書類を試験実施者から直接送付してもらい入手するか、書店等に置いてあるものを入手する必要があった。受験者は申込書類に自分の氏名，住所等の受験者を特定する情報を記入する他に、予め決められている受験日，受験地等を選択・記入した後、試験実施者に返送していた。その際受験者は、受験料を申請用紙と同封して受験料を送付するか、または金融機関から受験料を振込むかして受験料を支払っていた。そして、試験実施者において返送された申請用紙の内容と受験料の支払いとが確認された後、受験者に受験票が発送され受験手続を完了していた。
【発明の開示】
【発明が解決しようとする課題】
【０００３】
しかしながら従来の方法では、上述したように、受験者が申込書類を入手して必要事項を記入した後、試験実施者に返送し、試験実施者がその願書の内容を確認した後、受験票を発送するなど、受験手続を完了するためには多くの行程を経なければならず非常に作業効率が悪いものであった。そのため、受験者が近日に行われる試験を受験することは不可能であり、受験者が迅速に資格取得，検定合格するための受験機会が失われるという大きな弊害が生じていた。
【０００４】
また試験実施者においては、返送された申請用紙の内容を確認する作業やその申請用紙に対応する受験料の支払いの有無を確認する作業や、受験票を作成する作業を行わなければならなく、非常に多くの時間と人手が必要であった。そのため受験手続処理には、非常に時間とコストが嵩み、受験者が気軽に試験を受験できるような受験費用に設定することができなかった。
【０００５】
それゆえに、この発明の主たる目的は、受験者および試験実施者において多く作業を行なうことなく、迅速且つ確実に受験手続を行なえる受験手続管理システムを提供することである。
【課題を解決するための手段】
【０００６】
本発明は、受験申込み作業を行なう受験申込み端末と受験手続き処理を行なう受験手続管理サーバとによりネットワークを介して受験手続管理システムであって、受験申込み端末から、希望受験日の範囲、希望受験地および希望受験級を受信する受信手段と、受験手続管理サーバは、希望受験日の範囲、希望受験地および希望受験級を記憶する記憶手段と、記憶した希望受験日の範囲、記憶した希望受験地および記憶した希望受験級と実施予定の試験日、試験の行なわれる受験地、受験地毎の最大受験者数および試験日に行なわれる受験級とを比較することにより受験者が受験可能な日、受験可能な受験地および受験可能な受験級を抽出し、その結果を受験申込み端末に送信する抽出手段と、受験申込み端末から、受験者を特定する情報及び希望受験日を特定する情報と希望受験地を特定する情報と希望受験級と受験料の支払い方法を特定する情報とを含む受験申込みデータを受験手続き管理サーバにおいて受信する受信手段と、受験者を特定する情報及び希望受験日を特定する情報と希望受験地を特定する情報と希望受験級と受験料の支払い方法を特定する情報と受験料の支払いのない状況を示す情報とを記憶する記憶手段と、受験料の支払い情報を受験手続管理サーバにおいて受信する受信手段と、受験料の支払いのない状況を示す情報を、受信した受験料の支払い済み情報に書き換える書換手段と、受信した受験料の支払い済み情報と記憶した受験申込みデータとを対応させる対応手段と、受験申込みデータに対応した受験料の支払い処理が完了したことを確認したときに、支払い処理が行なわれた受験申込みデータの受験者を特定する情報を記載した受験票を出力する出力手段とを含むことを特徴とする、受験手続管理システムである。この場合には、受験者が申込みを行い受験料の支払いが行われたときに、迅速に受験票が発行される。
【０００７】
また本発明では、受験申込みデータに対応した受験料の支払い処理が完了したときに、支払い処理が行なわれた受験申込みデータの受験者を特定する情報を記載した受験票を出力する出力手段は、受験者を特定する情報が表示されるように構成された受験票の印刷データを受験申込み端末に送信する機能と、受験申込み端末で印刷データに基づいて受験票を印刷する機能とを含んでも良い。この場合には、受験票を受験者に届ける時間が削減されてより迅速に受験票が受験者に届けることができる。
【０００８】
本発明は、受験申込み作業を行なう受験申込み端末と受験手続き処理を行なう受験手続管理サーバと受験料の支払い処理を行なう決済端末とによりネットワークを介して受験手続管理システムであって、受験手続管理サーバは、受験申込み端末から、希望受験日の範囲、希望受験地および希望受験級を受信する受信手段と、希望受験日の範囲、希望受験地および希望受験級を記憶する記憶手段と、記憶した希望受験日の範囲、記憶した希望受験地および記憶した希望受験級と実施予定の試験日、試験の行なわれる受験地、受験地毎の最大受験者数および試験日に行なわれる受験級とを比較することにより受験者が受験可能な日、受験可能な受験地および受験可能な受験級を抽出し、その結果を受験申込み端末に送信する抽出手段と、受験申込み端末から、受験者を特定する情報及び希望受験日を特定する情報と希望受験地を特定する情報と希望受験級とを含む受験申込みデータを受信する受信手段と、受験申込みデータに重複しない個別の認識情報を付与する認識情報付与手段と、認識情報を付与された受験申込みデータを記録する記録手段と、認識情報を受験申込み端末に通知する通知手段と、受験者を特定する情報及び希望受験日を特定する情報と希望受験地を特定する情報と希望受験級と受験料の支払い方法を特定する情報と受験料の支払いのない状況を示す情報とを記憶する記憶手段と、認識情報を入力するとともに受験料の支払処理が行なわれた決済端末から、認識情報と受験料の支払いが行なわれたことを示すデータとを含む支払いデータを受験手続き管理サーバにおいて受信する受信手段と、受験料の支払いのない状況を示す情報を、受信した受験料の支払い済み情報に書き換える書換手段と、受信した受験料の支払い済み情報と記憶した認識情報を付与された受験申込みデータとを対応させる対応手段と、決済端末から受信した支払いデータに対応した受験申込みデータに含まれる受験者を特定する情報を記載した受験票を出力する出力手段とを含むことを特徴とする、受験手続管理システムである。この場合には、受験者が申込みを行い受験料の支払いが行われたときに、迅速に受験票が発行される。
【０００９】
また本発明では、認識情報を受験申込み端末に通知する通知手段は、認識情報を記載した受験料支払用紙を印刷する機能を含んでもよい。この場合には、受験者が認識情報を誤って認識することがない。
【００１０】
また本発明では、受験申込みデータは、受験料支払用紙を送付する先を特定する情報を含み、認識情報を受験申込み端末に通知する通知手段は、受験料支払用紙を受験申込み端末に送付する機能を含んでもよい。この場合には、受験料支払用紙を印刷することができない受験者に対しても迅速に受験料支払用紙を送付することができる。
【００１１】
本発明では、決済端末から受信した支払いデータに対応した受験申込みデータに含まれる受験者を特定する情報を記載した受験票を出力する出力手段は、受験者を特定する情報が表示されるように構成された受験票の印刷データを受験申込み端末に送信する機能と、受験申込み端末で印刷データに基づいて受験票を印刷する機能とを含んでもよい。この場合には、さらに迅速に受験料支払用紙を受験者に送ることができる。
【００１２】
また本発明では、受験申込みデータは、受験票の送付先を特定する情報を含み、決済端末から受信した支払いデータに対応した受験申込みデータに含まれる受験者を特定する情報を記載した受験票を出力する出力手段は、受験者を特定する情報が表示されるように構成された受験票の帳票形式により受験票を印刷する機能含んでもよい。この場合には、受験票を印刷することができない受験者に対しても迅速に受験票を送付することができる。
【発明の効果】
【００１３】
この発明によれば、受験者および試験実施者において多くの作業を行なうことなく、迅速且つ確実に受験手続を行なえる。
【００１４】
この発明の上述の目的，その他の目的，特徴および利点は、図面を参照して行う以下の発明の実施の形態の詳細な説明から一層明らかとなろう。
【発明を実施するための最良の形態】
【００１５】
図１は、本発明にかかる受験手続を行う方法が適用された受験手続管理システムの一実施形態を示す図解図である。以下図１乃至図７を参照しながら受験手続管理システム１０のハードウェア構成について説明する。受験手続管理システム１０は、受験申込み端末１２と受験手続管理サーバ３４と決済端末５４とを含む。受験申込み端末１２は、図２に示すように、ＣＰＵ１４を含む。ＣＰＵ１４は、受験申込み端末１２において各種処理を行うときに演算処理を行う中央演算処理装置である。ＣＰＵ１４には、ＲＯＭ１６が接続されている。ＲＯＭ１６は、受験申込み端末１２起動時に実行する基本入出力処理プログラムを格納するためのメモリである。またＣＰＵ１４には、ＲＡＭ１８が接続されている。ＲＡＭ１８は、ＣＰＵ１４において、各種演算処理を実行するとき使用するプログラムやデータを一時的に格納するためのメモリである。
【００１６】
さらにＣＰＵ１４には、出力部２０が接続されている。出力部２０は、印刷データ等を後述するプリンタ２２等に出力するためのインターフェイスである。出力部２０には、プリンタ２２が接続されている。プリンタ２２は、受験手続管理サーバ３４より送られてきた受験料支払用紙や受験票等の印刷物の印刷データを印刷するものである。プリンタ２２としては、レーザープリンタ，インクジェットプリンタ，ドットプリンタ，熱転写型プリンタ等が使用することが可能である。なお、この実施形態においては、受験料支払用紙や受験票を印刷するためにプリンタ２２が用いられるが、受験票等を受験申込み端末１２において印刷しない場合には、必ずしもプリンタ２２が接続されなくてもよい。
【００１７】
ＣＰＵ１４には、画像処理部２４が接続されている。画像処理部２４は、ＣＰＵ１４の演算処理の結果に基づいて画面表示データを生成するものである。画像処理部２４で生成された画像表示データは、画像処理部２４に接続されたディスプレイ２６により適宜画面として表示される。またＣＰＵ１４には、記憶装置２８が接続されている。記憶装置２８は、ＣＰＵ１４が各種処理を実行するときに使用するプログラムやデータが記憶され、ＣＰＵ１４が演算処理により生成したデータが記憶される。
【００１８】
記憶装置２８には、図３に示すように、ＷＷＷブラウザアプリケーション２８ａおよびビューアアプリケーション２８ｂが記録されている。ＷＷＷブラウザアプリケーション２８ａは、受験手続管理サーバ３４から送信されたＨＴＭＬデータやその他記憶装置２８内に記憶されているＨＴＭＬデータ等の各種データをディスプレイ２６において可視化して、その内容を確認できるようにするためのアプリケーションである。ビューアアプリケーション２８ｂは、印刷することで受験料支払用紙や受験票となる印刷データの内容を閲覧したり、印刷するためのものである。なおこのビューアアプリケーション２８ｂは、あらかじめ受験手続きを行う前に受験手続管理システム１０からダウンロードするか、あらかじめ適宜な記憶媒体に記憶されて配布されているものからコピーするか、若しくは受験手続き中にダウンロードされるかして、記憶装置２８内に記録される。また、ビューアアプリケーション２８ｂには、受験申込み端末１２として使用される機器により表示や印刷物が異なった体裁にならずに表示・印刷されるものを使用するのが望ましい。
【００１９】
またＣＰＵ１４には、入力部３０が接続されている。入力部３０は、後述するカメラ３１や図示しないマウスやキーボード，タッチパネル，タブレット，スキャナ等の各種入力装置を接続するためのインターフェイスであり、このインターフェイスを介して各種の指示信号や各種データがＣＰＵ１４に入力される。入力部３０には、上述したようにカメラ３１が接続されている。カメラ３１は、受験者の顔の外観を撮像するためのものである。カメラ３１としては、ＣＣＤカメラが適用される。なお、カメラ３１は、受験者の顔の外観を撮像するために接続されているが、受験者の特定を顔の外観により行わないときには、必ずしもカメラ３１が接続されなくてもよい。さらにＣＰＵ１４には、ネットワーク接続部３２が接続されている。ネットワーク接続部３２としては、モデム，ターミナルアダプタやＬＡＮカード等が適用される。そしてネットワーク接続部３２には、ネットワーク１００が接続される。
【００２０】
なお、上述した受験申込み端末１２は、パーソナルコンピュータ，ワークステーション等のコンピュータに、適当なプリンタおよびカメラの補器類を接続し、適当なＷＷＷブラウザアプリケーションをインストールすることで構成される。
【００２１】
受験手続管理サーバ３４は、図４に示すように、ＣＰＵ３６を含む。ＣＰＵ３６は、受験手続管理サーバ３４において、各種処理を行うとき演算処理を行う中央演算処理装置である。ＣＰＵ３６には、ＲＯＭ３８が接続されている。ＲＯＭ３８は、受験手続管理サーバ３４起動時に実行する基本入出力処理プログラムを格納するためのメモリである。またＣＰＵ３６には、ＲＡＭ４０が接続されている。ＲＡＭ４０は、ＣＰＵ３６において各種演算処理を実行するとき使用するプログラムやデータを一時的に格納するためのメモリである。
【００２２】
さらに、ＣＰＵ３６には、出力部４１が接続されている。出力部４１は、ＣＰＵ３６により演算処理されて得られた各種のデータを後述するプリンタ４２等に出力するためのインターフェイスである。出力部４１には、上述したように、プリンタ４２が接続されている。プリンタ４２は、演算処理されて得られた各種の印刷データを紙等に印刷するものである。プリンタ４２としては、レーザープリンタ，インクジェットプリンタ，ドットプリンタ，熱転写型プリンタ等を使用することが可能である。なお、この実施形態においては、受験料支払用紙や受験票を印刷するためにプリンタ４２が用いられるが、これらの印刷物を受験手続管理サーバ３４において印刷しない場合には、必ずしもプリンタ４２が接続されなくてもよい。
【００２３】
ＣＰＵ３６には、画像処理部４４が接続されている。画像処理部４４は、ＣＰＵ３６の演算処理結果に基づいて画面表示データを生成するものである。画像処理部４４で生成された画像表示データは、画像処理部４４に接続されたディスプレイ４６により適宜画面として表示される。なお、受験手続管理サーバ３４における処理過程をモニタする必要がない場合には、必ずしもディスプレイ４６が接続される必要はない。
【００２４】
また、ＣＰＵ３６には、記憶装置４８が接続されている。記憶装置４８は、ＣＰＵ３６が各種処理を実行するときに使用するプログラムやデータを記憶し、ＣＰＵ３６が演算処理により生成したデータを記憶したりするためのものである。記憶装置４８には、図５に示すように、ＨＴＴＰサーバアプリケーション４８ａと受験申込みデータベース４８ｂとが格納されている。ＨＴＴＰサーバアプリケーション４８ａは、ＨＴＴＰプロトコルに従って、受験申込み端末１２から要求された各種データを送信したり、受験申込み端末１２から送信されたデータを受信するためのアプリケーションである。
【００２５】
受験申込みデータベース４８ｂは、図６に示すように、受験申込み端末１２等から入力された受験申込みに関するデータをデータベースとして記憶する機能を有するアプリケーションである。また受験申込みデータベース４８ｂは、蓄積したデータを任意の条件により抽出する検索・抽出機能を有する。そして受験申込みデータベース４８ｂは、その内部に記録した受験申込みデータを一定の様式にしたがって印刷するための帳票データを内部に記録している。さらに受験申込みデータベース４８ｂは、受験者氏名や受付番号，受付番号のバーコード表示等の個々の受験料支払用紙や受験票により印刷されるより内容が異なるものを内部処理またはマクロプログラムやアドインアプリケーション等の処理により帳票データ内に定形の形式で組込んだ印刷データを生成する。なお、この受験申込みデータベース４８ｂは、ＣＧＩ(Common Gateway Interface)経由で受験申込み端末１２から一定範囲内で操作できるように設定されている。
【００２６】
さらに、ＣＰＵ３６には、入力部５０が接続されている。入力部５０は、図示しないマウス，キーボード，タブレットやスキャナ等の入力装置が接続するためのインターフェイスであり、このインターフェイスを介して各種の指示命令やデータがＣＰＵ３６に入力される。なお、受験手続管理サーバ３４において各種のデータ入力処理を行わない場合には、キーボードやマウス等の入力装置は、必ずしも入力部５０に接続される必要はない。またＣＰＵ３６には、ネットワーク接続部５２が接続されている。ネットワーク接続部５２としては、モデム，ターミナルアダプタやＬＡＮカード等が適用される。そして、ネットワーク接続部５２には、ネットワーク１００が接続される。
【００２７】
決済端末５４は、図７に示すように、ＣＰＵ５６を含む。ＣＰＵ５６は、決済端末５４において各種処理を行うときに演算処理を行う中央演算処理装置である。ＣＰＵ５６には、ＲＯＭ５８が接続されている。ＲＯＭ５８は、決済端末５４を起動時に実行する基本入出力処理プログラムを格納するためのメモリである。またＣＰＵ５６には、ＲＡＭ６０が接続されている。ＲＡＭ６０は、ＣＰＵ５６において、各種演算処理を実行するとき使用するプログラムやデータを一時的に格納するためのメモリである。
【００２８】
さらにＣＰＵ５６には、出力部６２が接続されている。出力部６２は、ＣＰＵ５６において演算処理されて得られた各種のデータを後述するプリンタ６４等に出力するためのインターフェイスである。出力部６２には、プリンタ６４が接続されている。プリンタ６４は、ＣＰＵ５６の演算処理等により得られた各種の印刷データを紙等に印刷するものであり、レーザープリンタ，インクジェットプリンタ，ドットプリンタ，熱転写型プリンタ等が使用することが可能である。
【００２９】
ＣＰＵ５６には、画像処理部６６が接続されている。画像処理部６６は、ＣＰＵ５６の演算処理の結果に基づいて画面表示データを生成するものである。画像処理部６６で生成された画像表示データは、画像処理部６６に接続されたディスプレイ６８により適宜画面として表示される。またＣＰＵ５６には、記憶装置７０が接続されている。記憶装置７０は、ＣＰＵ５６が各種処理を実行するときに使用するプログラムやデータが記憶され、ＣＰＵ５６が演算処理により生成した各種データが記憶される。さらにＣＰＵ５６には、入力部７２が接続されている。入力部７２は、後述するバーコードスキャナ７４や図示しないマウス，キーボード，タブレット，スキャナ等を接続するためのインターフェイスであり、このインターフェイスを介して各種の指示信号や各種データがＣＰＵ５６に入力される。
【００３０】
入力部７２には、バーコードスキャナ７４が接続されている。バーコードスキャナ７４は、その名のとおり、バーコードをスキャンして読取った数字列，文字列等をＣＰＵ５６に入力する。また、ＣＰＵ５６には、金銭格納部７６が接続されている。金銭格納部７６は、受験料の支払いがあったときに受験料を格納しておくための装置であり、適宜ＣＰＵ５６のコマンドにより駆動するように構成されている。さらに、ＣＰＵ５６には、ネットワーク接続部７８が接続される。ネットワーク接続部７８としては、モデム，ターミナルアダプタやＬＡＮカード等が適用される。そしてネットワーク接続部７８には、ネットワーク１００が接続される。
【００３１】
この実施形態において、ネットワーク１００は、インターネット回線網が使用される。しかしながら、本発明に適用することができるネットワーク１００はこれに限られることなく、一般公衆回線網，ＩＳＤＮ回線網，携帯電話回線網，ＬＡＮ回線網，ＷＡＮ回線網やこれらの回線網を複数種組合せて使用してもよいし、専用回線を用いてもよい。
【００３２】
続いて、受験手続管理システム１０の動作の一例について説明する。なお、図８は、本発明にかかる受験手続きを行う方法が適用されたシステムの一動作例を示すフローチャート図である。
【００３３】
まず、受験者が受験手続きを行うには、受験申込み端末１２を受験手続管理サーバ３４に接続する（ステップＳ１）。接続するためには、ＷＷＷブラウザアプリケーション２８ａを起動して、図９に示すように、ＷＷＷブラウザアプリケーション２８ａのＵＲＬ入力欄に、接続したい受験手続管理サーバのＵＲＬ(Uniform Resource Locater)、例えば「http://www.kanken.or.jp/」を入力する。
【００３４】
次に受験者は、ＷＷＷブラウザアプリケーション２８ａ内に、図１０に示すように表示されたメニュー画面から、「漢検」，「文検」等と表示された受験を希望する試験を、マウスやキーボード，タッチパネル等の入力機器を使用して選択する（ステップＳ２）。なお、これら受験申込み端末１２に表示されている各ページは、受験管理手続サーバ３４の記憶装置４８内にＨＴＭＬ文書として記憶されているデータをＨＴＴＰサーバアプリケーション４８ａにより受験申込み端末１２に送信することにより表示される。また、メニュー画面に表示される試験の種類は、受験手続管理サーバ３４により受験手続きが行われる試験の種類により増減する。
【００３５】
受験する試験を選択した後、ＷＷＷブラウザアプリケーション２８ａ内には、図１１に示すように、受験可能日等確認ページが表示される。受験可能日等確認ページにおいては、ページ内に設けられた「受験級」，「受験日」，「受験地」の受験条件入力欄に適宜な条件を入力して、ページ内に設けられた「検索」ボタンを押すことで、入力した条件に合致する受験日等を表示させて確認を行う（ステップＳ３）。受験可能日等確認ページで提供されている抽出機能は、ＣＧＩを介して受験申込みデータベース４８ｂの有する検索・抽出機能を利用することで提供されている。なお、受験申込みデータベース４８ｂには、実施予定の試験日，試験日に行われる受験級，試験の行われる受験地（受験会場），受験地毎の最大受験者数等の条件データが試験実施者により入力されており、このデータを参照して、入力された条件に合致する受験日等が抽出される。また、受験条件入力欄には、必ずしも受験日等の条件を入力する必要はない。この場合には、受験申込み端末１２が受験手続管理サーバ３４に接続した時点において、受験することができる全ての受験日程が抽出・表示されるように構成されている。
【００３６】
受験可能日等を確認した後、受験者はページ内に表示されている受験申込みボタン（図示せず）を押すことにより、図１２に示すように、受験申込みページを表示させる。受験申込みページは、受験者を特定する情報である氏名や顔の外観の画像データ，受験条件（受験級，受験日，受験地等），受験料の支払方法等を含む受験申込みデータを入力するページである。受験者は、受験申込みページに設けられた入力欄に必要事項を入力することにより、受験申込みデータを入力する（ステップＳ４）。なお、以後の説明は、受験申込みページで支払い方法に「決済端末」が選択された場合について説明を行う。
【００３７】
受験者は、受験申込みページに設けられた入力欄に必要事項を入力後、ページ内に表示されている「申込み」ボタンを押すことにより、受験申込みデータを受験手続管理サーバ３４に送信する（ステップＳ５）。
【００３８】
受験申込み端末１２が送信した受験申込みデータは、受験手続管理サーバ３４により受信される。そして、受験申込みデータベース４８ｂにより受付番号が付与される（ステップＳ６）。受付番号は、受験申込みデータ毎に重複しないように付与される認識情報である。受付番号が付与された受験申込みデータは、付与された受付番号により以後受験手続管理サーバ３４において管理が行われる。
【００３９】
受付番号が付与された受験申込みデータは、受験申込みデータベース４８ｂに記録される（ステップＳ７）。なお、この段階においては各受験申込みデータの「支払い状況」を示すデータは「×」等の受験料の支払いがまだ行われていないことを示すフラグが書込まれて記録されている。
【００４０】
次に受験申込みデータベース４８ｂは、記憶している受験料支払用紙の帳票データ内に、ステップＳ６において付与した受付番号をバーコード表示した状態で組込んだ印刷データを生成する。生成された受験料支払用紙の印刷データは、ＨＴＴＰサーバアプリケーション４８ａによりネットワーク１００を介して受験申込み端末１２に送信される（ステップＳ８）。
【００４１】
受験者は、受信した受験申込用紙の印刷データをビューアアプリケーション２８ｂとプリンタ２２とを用いて、図１３に示すように、受験料支払用紙を印刷する（ステップＳ９）。
【００４２】
受験料支払用紙を印刷した受験者は、受験料支払書を使用して決済端末５４により受験料の支払いを行う（ステップＳ１０）。支払い時には、バーコードスキャナ７４により、バーコード表示された受付番号が読取られることで、どの受験申込みデータについて受験料の支払いがあったのかを決済端末５４に認識させる。
【００４３】
決済端末５４は、受験料の支払い時に認識した受験申込みデータの受付番号と支払いがあった事を示す支払いフラグを含む支払いデータをネットワーク１００を介して受験手続管理サーバ３４に送信する（ステップＳ１１）。
【００４４】
支払いデータが受験手続管理サーバ３４により受信されたとき、受験申込みデータベース４８ｂにより受付番号に対応する受験申込みデータの支払い状況のデータを、図６に示すように、「○」等の支払いがあったことを示すフラグに書換えられる。そして、受験申込みデータベース４８ｂにより、記憶している受験票の帳票データ内に、受信した支払いデータに対応する受験申込みデータの受験者の氏名および顔の外観と、受験する試験の内容と、受験日等の受験条件とが表示されるように組込まれた印刷データが生成される。生成された受験票の印刷データは、ＨＴＴＰサーバアプリケーション４８ａによりネットワーク１００を介して受験申込み端末１２に送信される（ステップＳ１２）。
【００４５】
受験者は、受信した受験票の印刷データをビューアアプリケーション２８ｂとプリンタ２２とを用いて、図１４に示すように、受験票を印刷して受験手続きが完了される（ステップＳ１３）。
【００４６】
このように、この発明にかかる受験手続管理システムによれば、従来の方法のように、受験料支払いの確認等の煩雑な作業を行わずに簡単に受験票の発行ができ、容易に受験手続きを行うことができる。なお、不正に試験を受験しようとする者が、受験票の印刷データを不正に入手しデータを改竄して受験することが想定されることより、受験票の印刷データには改竄不可能な処理が施されるのが望ましい。
【００４７】
上記説明は、図８に示すようなフローで受験手続きを行なったが、本発明ではこれに限られず、図１５に示すようなフローで受験手続きを行なってもよい。なお、図１５は、本発明にかかる受験手続きを行う方法が適用されたシステムの他の動作例を示すフローチャート図である。
【００４８】
図１５に示すフローは、図８に示すフローと受験料支払書と受験票を受験者に届けるステップが異なる。具体的な内容を説明すると、ステップＳ２１からステップＳ２７までは、図８に示すステップＳ１からステップＳ７までのフローと同様の処理をおこなっているが、図１５で示すフローでは、受験申込み端末１２において受験料支払用紙および受験票の印刷データの印刷を行わずに、ステップＳ２８およびステップＳ２１２に示すように、受験手続管理サーバ３４において受験料支払用紙および受験票の印刷を行っている。なお、受験手続管理サーバ３４において印刷された受験料支払用紙および受験票は、ステップＳ２９およびステップＳ２１３に示すように適宜な方法により受験者に届けられる。なお、このフローの場合においては、受験料支払用紙の印刷を、受験申込みデータが受験申込みデータベース４８ｂに保存される毎に行ってもよいし、一定時間の受験申込みデータを蓄積してからまとめて行ってもよい。また、受験票の印刷は、支払いデータが受験手続管理サーバ３４により受信される毎に行ってもよいし、一定時間の支払いデータを蓄積してからまとめて行ってもよい。
【００４９】
図１５で示すフローで受験手続きを行った場合には、図８のときに比べて、受験料支払用紙および受験票を受験申込み端末１２において印刷することができない受験者も受験申込みを容易に行うことができる。
【００５０】
また本発明ではこれに限られず、図１６に示すようなフローで受験手続きを行なわれてもよい。なお、図１６は、本発明にかかる受験手続きを行う方法が適用されたシステムのさらに他の動作例を示すフローチャート図である。
【００５１】
図１６に示すフローは、図８に示すフローと受験料の支払いが行われるステップが異なる。具体的な内容を説明すると、ステップＳ３１からステップＳ３４までは、図８に示すステップＳ１からステップＳ４までのフローと同様の処理を行っている。なお、ステップＳ３４においては、受験申込みページにおいて受験料の支払い方法に「クレジットカード」が選択された後、適宜な「クレジットカードの種類」，「クレジットカードNo. 」が選択・入力されることで受験申込みデータとして入力される（ステップＳ３４）。
【００５２】
そして、受験申込みデータ内に含まれる「氏名」や「クレジットカードNo. 」を示すデータと共に、受験者が支払わなければならない受験料の額を示すデータを含む請求額データが、受験手続管理サーバ３４から図示しない信販会社のオンライン承認システムへ送信される（ステップＳ３５）。なお、オンライン承認システムとは、現在多用されている、クレジットカード所有者によるクレジットカードによる支払いを、信販会社が承認するか否かをネットワークを介して確認するシステムのことである。
【００５３】
信販会社が請求データへの支払いを承認した場合には（ステップＳ３６）、前記請求データに対する支払いを承認したことを示す適宜なフラグを付加した承認データが受験手続管理サーバ３４に送信される（ステップＳ３７）。承認データを受信した受験手続管理サーバ３４は、対応した受験申込みデータを受験申込みデータベース４８ｂに記憶する（ステップＳ３８）。なお、この例では承認データとして、請求データに支払いを承認したことを示すフラグを付加することで承認データと構成したが、これに限らずその他適宜な形式により承認データを作成してもよい。
【００５４】
そして、受験手続管理サーバ３４は、記憶した受験申込みデータより受験票の印刷データを生成して、ＨＴＴＰサーバアプリケーション４８ａによりネットワーク１００を介して受験申込み端末１２に送信する（ステップＳ３９）。
【００５５】
受験者は、受信した受験票の印刷データをビューアアプリケーション２８ｂとプリンタ２２とを用いて、図１４に示すように、受験票を印刷して受験手続きが完了される（ステップＳ４０）。
【００５６】
図１６で示すフローで受験手続きを行った場合には、図８のときに比べて、受験手続管理サーバ３４から受験申込み端末１２への受験料支払用紙印刷データの送信作業，受験申込み端末１２での受験料支払用紙の印刷作業、受験料支払用紙を用いて決済端末５４での支払作業が削減できることにより非常に迅速に受験申込みを容易に行うことができる。また、全ての受験申込み端末１２でこのフローにより処理を行った場合には、決済端末５４を設置する必要もなくシステム構成を簡略化することができる。
【００５７】
さらに本発明では、図１７に示すようなフローで受験手続きを行なってもよい。なお、図１７は、本発明にかかる受験手続きを行う方法が適用されたシステムの動作例を示すフローチャート図である。
【００５８】
図１７に示すフローは、図８に示すフローと受験料の支払いが行われるステップが異なる。具体的な内容を説明すると、ステップＳ４１からステップＳ４４までは、図８に示すステップＳ１からステップＳ４までのフローと同様の処理を行っている。なお、ステップＳ４４においては、受験申込みページにおいて受験料の支払い方法に「電子マネー」が選択され、支払い方法に関するデータが受験申込みデータに入力される（ステップＳ４４）。この場合には、受験料支払用紙を用いて決済端末５４による支払を行わずに、ネットワーク型電子マネーによる受験料の支払いが行われている（ステップＳ４５）。
【００５９】
この場合には、受験申込み端末１２および受験手続管理サーバ３４にネットワーク型電子マネー管理アプリケーションがインストールされている必要がある。この実施形態においては、ネットワーク型電子マネーとしてデジキャッシュ社が開発したｅ−キャッシュを適用しているが、これに限らず、その他のネットワーク型電子マネーが適用されてもよい。すなわち、支払い処理のときに、実際に支払窓口等に出向きＩＣカードにより支払いを行うようなＩＣ型電子マネーではなく、支払い処理が全てネットワーク上において処理可能なものが適用可能である。
【００６０】
図１７で示すフローで受験手続きを行った場合には、図１６に示したフローと同様に、受験手続管理サーバ３４から受験申込み端末１２への受験料支払用紙印刷データの送信作業，受験申込み端末１２での受験料支払用紙の印刷作業、受験料支払用紙を用いて決済端末５４での支払作業が削減できることにより非常に迅速に受験申込みを容易に行うことができる。また、全ての受験申込み端末１２でこのフローにより処理を行った場合には、決済端末５４を設置する必要もなくシステム構成を簡略化することができる。さらに、図１６に示したフローと異なり、クレジットカードNo. が第三者によりハッキングされる心配がないので安心して受験申込みを行うことができる。
【００６１】
なお、これまで上述してきた実施形態においては、受験申込み端末１２としてパーソナルコンピュータ，ワークステーションを適用したが、これに限られず、受験申込み端末１２として、各種のデータを入力可能な携帯電話やＰＤＡ（携帯情報端末）を用いても良い。なおこの場合には、ネットワーク１００を介して受験手続管理サーバ３４とデータの授受が行える機能を有するものが用いられる。また、受験者の顔の外観を撮像できるように、画像撮像機能を有するものが用いられるのが望ましい。
【００６２】
また、受験申込み端末１２は、受験者各人の手元に準備してあるのが望ましいが、これに限られることなく、たとえば各受験会場やコンビニエンスストア，各種金融機関施設，各種公共施設内に受験申込み端末を設置して不特定な人が利用可能に構成されてもよい。
【００６３】
さらに、これまで上述してきた実施形態においては、ＨＴＴＰサーバアプリケーション４８の提供するサービスを用いて、ＨＴＴＰプロトコルにより受験手続き管理サーバとデータのやり取りを行ったが、これに限られることなく、ＴＥＬＮＥＴ等のデータのやり取りを行うことができる適宜な通信プロトコルを用いてデータのやり取りを行うように構成してもよい。
【００６４】
また、これまで上述してきた実施形態においては、受験者の顔の外観をカメラ３１により撮像して入力していたが、これに限らず、あらかじめ撮影していた顔写真をスキャナで走査して入力してもよいし、あらかじめ適宜な画像ファイル形式で保存していた顔写真の画像データを使用するようにしてもよい。
【００６５】
また、受験申込み端末１２にカメラ３１が接続されていないめ、受験者の顔の外観を撮像したデータを受験申込みデータとして送信できない場合には、写真送付用の用紙を受験料支払用紙とともに届け、受験者の顔写真や顔写真の画像データを返送するようにしてもよい。
【００６６】
これまで上述してきた実施形態においては、受験申込みデータの入力時に受験者の顔の外観の画像データを入力するように構成したが、受験者を顔の外観の画像データにより確認する必要のない場合には、必ずしも顔の外観の画像データが入力されなくてもよい。
【００６７】
さらに、これまで上述してきた実施形態においては、最初に受験申込み端末１２を受験手続管理サーバ３４に接続させて、受験申込みデータを入力するためのページデータ（ＨＴＭＬデータ）を受信する必要があったが、これに限られず、受験申込み端末１２に予めこれらのデータを記憶しておいてもよい。
【００６８】
またさらに、これまで上述してきた実施形態においては、受験手続管理サーバ３４により一元的に認識情報である受付番号を付与していたが、これに限られず、受験申込み端末１２を専用機として設置して、専用機として設置した受験申込み端末１２により受付全体として重複しない個別の認証情報である受付番号を付与するように構成されてもよい。
【００６９】
なお本発明は、図８，図１５，図１６，図１７に示したフローに限られず、これらに開示されているステップを複合して構成されてもよい。
【図面の簡単な説明】
【００７０】
【図１】本発明にかかる受験手続管理システムを示す図解図である。
【図２】受験申込み端末を示すブロック図である。
【図３】受験申込み端末の記憶装置内に格納されたアプリケーションを示す図解図である。
【図４】受験手続管理サーバを示すブロック図である。
【図５】受験手続管理サーバの記憶装置内に格納されたアプリケーションを示す図解図である。
【図６】受験申込みデータベースのデータ構造を示す図解図である。
【図７】決済端末を示すブロック図である。
【図８】本発明にかかる受験手続きを行う方法が適用されたシステムの一動作例を示すフローチャート図である。
【図９】受験者端末のディスプレイに表示された画面を示す図解図である。
【図１０】受験者端末のディスプレイに表示された画像を示す別の図解図である。
【図１１】受験可能日等確認ページが表示された状態を示す図解図である。
【図１２】受験申込みページが表示された状態を示す図解図である。
【図１３】受験料支払書を示す図解図である。
【図１４】受験票を示す図解図である。
【図１５】本発明にかかる受験手続きを行う方法が適用されたシステムの他の動作例を示すフローチャート図である。
【図１６】本発明にかかる受験手続きを行う方法が適用されたシステムのさらに他の動作例を示すフローチャート図である。
【図１７】本発明にかかる受験手続きを行う方法が適用されたシステムの動作例を示すフローチャート図である。
【符号の説明】
【００７１】
１０  受験手続管理システム
１２  受験申込み端末
３４  受験手続管理サーバ
５４  決済端末
１００  ネットワーク
【図１】
2006085730.tif 000003
【図２】
2006085730.tif 000004
【図３】
2006085730.tif 000005
【図４】
2006085730.tif 000006
【図５】
2006085730.tif 000007
【図６】
2006085730.tif 000008
【図７】
2006085730.tif 000009
【図８】
2006085730.tif 000010
【図９】
2006085730.tif 000011
【図１０】
2006085730.tif 000012
【図１１】
2006085730.tif 000013
【図１２】
2006085730.tif 000014
【図１３】
2006085730.tif 000015
【図１４】
2006085730.tif 000016
【図１５】
2006085730.tif 000017
【図１６】
2006085730.tif 000018
【図１７】
2006085730.tif 000019